(57)【要約】【課題】苔を植え付けた植生パネルをライトアップして展示する植物のディスプレイ装置を提供する。【解決手段】窓部１２を有し該窓部１２が前面側に間隙をおいてパネル２４で囲われたディスプレイユニット１３と、窓部１２に臨んで設置される植生パネル１４と、該植生パネル１４に植え付けられた低背な植物１５を前面側の側方から照らす照明装置１６と、植物１５への灌水手段１７とを少なくともディスプレイユニット１３内に備える植物のディスプレイ装置１１であって、照明装置１６は、パネル２４の裏部の間隙において植生パネル１４の高さ方向に沿って配設される複数個のＬＥＤ照明２５と、該ＬＥＤ照明２５の前側近傍に配置される導光レンズ２６とから成り、ＬＥＤ照明２５の光を導光レンズ２６によって植生パネル１４の表面に均一に照射するように構成した。【選択図】図２
2011239706.tif 000002
【特許請求の範囲】
【請求項１】
窓部を有し該窓部が前面側に間隙をおいてパネルで囲われたディスプレイユニットと、前記窓部に臨んで設置される植生パネルと、該植生パネルに植え付けられた低背な植物を前面側の側方から照らす照明装置と、前記植物への灌水手段とを少なくとも前記ディスプレイユニット内に備える植物のディスプレイ装置であって、
前記照明装置は、前記パネルの裏部の前記間隙において前記植生パネルの高さ方向に沿って配設される複数個のＬＥＤ照明と、該ＬＥＤ照明の前側近傍に配置される導光レンズとから成り、
前記ＬＥＤ照明の光を前記導光レンズによって前記植生パネルの表面に均一に照射するように構成したこと
を特徴とする植物のディスプレイ装置。
【請求項２】
灌水手段は、水タンクと、前記植生パネルの上部に沿って設置される上部水受け樋と、前記水タンクから前記上部水受け樋まで連通するホースと、前記水タンクの水を前記上部水受け樋へ送水するポンプと、前記植生パネルの下部に沿って設置される下部水受け樋と、該下部水受け樋に流下した水を前記水タンクに戻す返水ホースとから成り、
前記上部水受け樋に送水した水を前記植生パネルの前面側へ伝わせて前記植物に循環させて灌水すること
を特徴とする請求項１に記載の植物のディスプレイ装置。
【請求項３】
ディスプレイユニット内には、前記植物への送風手段を備えること
を特徴とする請求項１に記載の植物のディスプレイ装置。
【請求項４】
送風手段は、前記パネルの裏側の前記照明装置と前記植生パネルとの間隙において該植生パネルの両側部に吹出口を有する送風ダクトと、該送風ダクトに接続する送風ファンとから成ること
を特徴とする請求項３に記載の植物のディスプレイ装置。
【請求項５】
植生パネルに植え付けられた低背な植物は、蘚類、苔類、コケ植物、地衣類、シダ類、小形の種子植物であること
を特徴とする請求項１に記載の植物のディスプレイ装置。
【請求項６】
ディスプレイユニットは、底面にキャスターが設けられて移動可能であること
を特徴とする請求項１に記載の植物のディスプレイ装置。
【請求項７】
ディスプレイユニットは、上部の展示台と下部の飾り台とから構成され、当該展示台と飾り台とが分割可能であること
を特徴とする請求項１に記載の植物のディスプレイ装置。
【発明の詳細な説明】
【技術分野】
【０００１】
本発明は、苔等の低背な植物が植え付けられた植生パネルをライトアップして展示する植物のディスプレイ装置に関するものである。
【背景技術】
【０００２】
従来、植物のディスプレイ装置としては、図９及び図１０に示す構成のものが知られている。この植物のディスプレイ装置１は、植物２が植え付けられたシート状の植付け体３と、植付け体３を垂直に保持する枠体４と、枠体４を立設させる脚部材５と、植付け体３の裏側に培養液を供給する培養液供給パイプ６と、培養液供給パイプ６の上部に設けられる培養液槽７とから構成される（特許文献１参照）。
【０００３】
このような構成の植物のディスプレイ装置１は、オフィス等の室内に観賞用として展示される。また、植物２に培養液槽７から培養液が供給されるので、生きた植物を長期間に渡って観賞することができる。
【先行技術文献】
【特許文献】
【０００４】
【特許文献１】実開平４−３５７５６号公報
【発明の概要】
【発明が解決しようとする課題】
【０００５】
この従来例の植物のディスプレイ装置１においては、専用の照明機器を備えていないので、室内の天井照明を利用することとなる。この場合、上方からの光源だけでは明るさが不充分で、且つ不均一であって、ディスプレイ装置１のアートな表現としては不完全なものとなるという問題点を有している。
【０００６】
また、室内の天井照明だけでは、植物の成長に不可欠な光の照射が不充分であって、植物の育成に悪影響を与えたり、あるいは植物が枯れたりするおそれがあるという問題点も有している。
【０００７】
更に、植物のディスプレイ装置１は、植物の成長に必要な通風性が確保されていない。つまり、植物の育成には適度な空気の流れが必要であり、空気が淀んだ状態にあると植物の育成に悪影響を与えたり、あるいは植物が枯れたりする原因になるという問題点を有している。
【０００８】
従って、従来例における植物のディスプレイ装置１においては、照明機器及び照明方法に工夫を凝らしてアートな表現力を向上させ、芸術品としての価値を高めることと、明るさと通風性とを向上させて植物の育成環境を良好にすることとに解決しなければならない課題を有している。
【課題を解決するための手段】
【０００９】
前記従来例の課題を解決するための本発明の要旨は、窓部を有し該窓部が前面側に間隙をおいてパネルで囲われたディスプレイユニットと、前記窓部に臨んで設置される植生パネルと、該植生パネルに植え付けられた低背な植物を前面側の側方から照らす照明装置と、前記植物への灌水手段とを少なくとも前記ディスプレイユニット内に備える植物のディスプレイ装置であって、前記照明装置は、前記パネルの裏部の前記間隙において前記植生パネルの高さ方向に沿って配設される複数個のＬＥＤ照明と、該ＬＥＤ照明の前側近傍に配置される導光レンズとから成り、前記ＬＥＤ照明の光を前記導光レンズによって前記植生パネルの表面に均一に照射するように構成したことである。
【００１０】
また、前記灌水手段は、水タンクと、前記植生パネルの上部に沿って設置される上部水受け樋と、前記水タンクから前記上部水受け樋まで連通するホースと、前記水タンクの水を前記上部水受け樋へ送水するポンプと、前記植生パネルの下部に沿って設置される下部水受け樋と、該下部水受け樋に流下した水を前記水タンクに戻す返水ホースとから成り、前記上部水受け樋に送水した水を前記植生パネルの前面側へ伝わせて前記植物に循環させて灌水すること、；
前記ディスプレイユニット内には、前記植物への送風手段を備えること、；
前記送風手段は、前記パネルの裏側の前記照明装置と前記植生パネルとの間隙において該植生パネルの両側部に吹出口を有する送風ダクトと、該送風ダクトに接続する送風ファンとから成ること、；
前記植生パネルに植え付けられた低背な植物は、蘚類、苔類、コケ植物、地衣類、シダ類、小形の種子植物であること、；
前記ディスプレイユニットは、底面にキャスターが設けられて移動可能であること、；
前記ディスプレイユニットは、上部の展示台と下部の飾り台とから構成され、当該展示台と飾り台とが分割可能であること、；
を含むものである。
【発明の効果】
【００１１】
本発明に係る植物のディスプレイ装置によれば、ＬＥＤ照明の光を導光レンズによって植生パネルの表面に均一に照射するように構成したことによって、植物の緑が非常に美しく見える。従って、植物のディスプレイ装置のアートな表現力が向上して、芸術品としての価値を高めることができる。
また、植物の成長に不可欠な光を、ＬＥＤ照明を利用して充分に照射するので、植物の育成が良好であるという種々の優れた効果を奏する。
【００１２】
灌水手段は、水タンクと、前記植生パネルの上部に沿って設置される上部水受け樋と、前記水タンクから前記上部水受け樋まで連通するホースと、前記水タンクの水を前記上部水受け樋へ送水するポンプと、前記植生パネルの下部に沿って設置される下部水受け樋と、該下部水受け樋に流下した水を前記水タンクに戻す返水ホースとから成り、前記上部水受け樋に送水した水を前記植生パネルの前面側へ伝わせて前記植物に循環させて灌水することによって、水タンクの水を循環使用できるだけでなく、生きた植物を長期間に渡って観賞することができるという優れた効果を奏する。
【００１３】
ディスプレイユニット内には、前記植物への送風手段を備え、該送風手段は、前記化粧パネルの裏側の前記照明装置と前記植生パネルとの間隙において該植生パネルの両側部に吹出口を有する送風ダクトと、該送風ダクトに接続する送風ファンとから成ることによって、植物の成長に必要な通風性が確保できるので、植物の育成が良好であるという優れた効果を奏する。
【００１４】
植生パネルに植え付けられた低背な植物は、蘚類、苔類、コケ植物、地衣類、シダ類、小形の種子植物であることによって、苔が持つ独特な落ち着いた雰囲気が醸し出されて、癒しの空間を演出することができる。
また、苔に備わる高い保水力と蒸散作用によって、室内の湿度を快適に保つことができるという種々の優れた効果を奏する。
【００１５】
ディスプレイユニットは、底面にキャスターが設けられて移動可能であることによって、ディスプレイ装置を容易に移動することができるという優れた効果を奏する。
【００１６】
ディスプレイユニットは、上部の展示台と下部の飾り台とから構成され、当該展示台と飾り台とが分割可能であることによって、ディスプレイ装置の展示方法に種々のバリエーションを持たせることが可能であるという優れた効果を奏する。
【図面の簡単な説明】
【００１７】
【図１】本発明に係る植物のディスプレイ装置１１の正面図である。
【図２】図１のＡ−Ａ線断面図である。
【図３】窓部１２、化粧パネル２４、植生パネル１４、照明装置１６の平面を破断して略示的に示す説明図である。
【図４】照明装置１６の平面を拡大して略示的に示す説明図である。
【図５】図３のＢ−Ｂ線断面図である。
【図６】窓部１２、化粧パネル２４、植生パネル１４、照明装置１６、送風手段１８の平面を破断して略示的に示す説明図である。
【図７】図６のＥ−Ｅ線断面図である。
【図８】第２実施例の植物のディスプレイ装置３５の側面を示す縦断面図である。
【図９】従来例に係る植物のディスプレイ装置１の正面図である。
【図１０】従来例に係る植物のディスプレイ装置１の側面図である。
【発明を実施するための形態】
【００１８】
次に、本発明の実施の形態について図面を参照しながら説明する。まず、図１及び図２において、符号１１は植物のディスプレイ装置を示し、このディスプレイ装置１１は、窓部１２を有し該窓部１２が前面側に間隙をおいて化粧パネル（パネル）２４で囲われたディスプレイユニット１３と、窓部１２に臨んで設置される植生パネル１４と、植生パネル１４に植え付けられた苔（低背な植物）１５を前面側の側方から照らす照明装置１６と、苔１５への灌水手段１７とから構成される。
【００１９】
ディスプレイユニット１３は、下部の飾り台１９と、この飾り台１９の上部に一体に設けられる展示台２１とから構成される。
なお、飾り台１９と展示台２１とは別体構造にして、これらを上下に分割できるような構成にしてもよく（図示せず）、この場合は、ディスプレイ装置１１の展示方法に種々のバリエーションを持たせることが可能である。
【００２０】
飾り台１９は、箱形に形成され、その底面にはキャスター２２が設けられており、ディスプレイ装置１１を容易に移動することができる。
また、飾り台１９の上部にはカウンター２３が設けられており、このカウンター２３の上に適宜の装飾品等を載置することができる。
【００２１】
展示部２１は、箱形に形成され、正面側に窓部１２を有し、この窓部１２の上端部、下端部、及び両端部は、化粧パネル２４で囲われている。なお、図中の符号３６は壁部を示し、符号３９は天井を示し、符号４０は床を示す。
【００２２】
植生パネル１４は平板状に形成され、図３に示すように、窓部１２に臨んで設置すると共に、化粧パネル２４の裏側から数ｃｍ程度の隙間を開けて配置される。また、植生パネル１４は、取付け取外しが可能なように構成されており、別体の植生パネルと適宜に交換可能である。
【００２３】
植生パネル１４の構造は、防水性のあるパネルの上に水苔又はガーゼ等の吸水素材を張り付け、その上に網を張り付けて（いずれも図示せず）、この網に対して苔１５を植え付けたものである。また、植生パネル１４にはアクセントとして、図示しない偽石等を取り付けてもよい。
【００２４】
苔１５は、更に詳しくは、蘚類、苔類などのコケ植物や、地衣類、シダ類、小形の種子植物が含まれる。
【００２５】
このような苔１５を植え付けた植生パネル１４を室内に展示することによって、
１）苔は建物等の壁面緑化に適しており、癒し空間を演出することができ、
２）苔植物も一般の植物と同様に光合成よってＣＯ２ の削減を行い、
３）他の植物とは異なり、光、水、ＣＯ２ だけを糧にして生育し、
４）屋内の垂直面でＬＥＤ照明による育成が可能であり、
５）高い保水力と蒸散作用によって、空間の湿度調力を期待できる、
という種々の作用、効果を有する。
【００２６】
照明装置１６は、図３から図５に示すように、化粧パネル２４の裏部の前記隙間において、植生パネル１４の高さ方向に沿って配設される複数個のＬＥＤ照明２５と、このＬＥＤ照明２５の前側近傍に配置される円柱状の導光レンズ２６とから成る。なお、図中の符号２０は、断面が略コ字状で縦長に形成されたカバーを示し、このカバー２０の内側にＬＥＤ照明２５と導光レンズ２６とが配置される。また、符号２４ａは側面化粧パネルを示す。
【００２７】
導光レンズ２６は、凸レンズ柱状体であって、光源の光を所定の方向に導光できるレンズである。この導光レンズ２６は、図３及び図４で光の方向Ｃを示したように、直進するＬＥＤ照明２５の光を植生パネル１４の表面に均一に照射するよう導光方向の調整が成されている。このように、植生パネル１４に均一に光が照射されることによって、苔１５が非常に美しく見えると共に、成長にムラがなく全体的に良好となる。
【００２８】
灌水手段１７は、図２に示すように、ディスプレイユニット１４の底部に設置する水タンク２７と、植生パネル１４の上部に沿って設置する上部水受け樋２８と、水タンク２７から上部水受け樋２８まで連通するホース２９と、水タンク２７の水を上部水受け樋２８に送水するポンプ３０と、植生パネル１４の下部に沿って設置する下部水受け樋３１と、下部水受け樋３１に流下した水を水タンク２７に戻すための返水ホース３２とから構成される。
【００２９】
このような構成の灌水手段１７は、ポンプ３０を作動させて、水タンク１７の水をホース２９を通って上部水受け樋２８まで送水する。上部水受け樋２８の水は、該上部水受け樋２８から植生パネル１４の上部に渡って張り付けた水苔等（図示せず）を伝って、該植生パネル１４に流れることとなり、植生パネル１４の苔１５が全体的に灌水する。また、下部水受け樋３１に流下した水は、返水ホース３２を通って水タンク２７に戻る仕組みになっている。従って、水タンク２７の水は循環して使用されこととなり、苔１５を長期間に渡って育成できて、観賞することができる。
【００３０】
次に、ディスプレイユニット１３内には、図６及び図７に示すように、苔１５への送風手段１８を設けてもよい。送風手段１８は、化粧パネル２４の裏側の照明装置１６（ＬＥＤ照明２５、導光レンズ２６）と植生パネル１４との間隙において植生パネル１４の両側部に縦型スリット状の吹出口３３ａを有する送風ダクト３３と、この送風ダクト３３に接続する送風ファン３４とから構成される。
【００３１】
このような構成の送風手段１８は、送風ファン３４を作動させると、矢印Ｄに示すように、空気が送風ダクト３３を通って吹出口３３ａから風が出るので、植物の成長に必要な通風性が確保できて植物の育成が良好となると共に、ＬＥＤ照明２５による発熱を冷やす効果がある。
【００３２】
以上のように構成される植物のディスプレイ装置１１は、壁面緑化として小さな自然空間を室内に取り込むことができるだけでなく、苔１５が持つ独特な落ち着いた雰囲気が醸し出されて、癒しの空間を演出することができる。また、苔１５に備わる高い保水力と蒸散作用によって、室内の湿度を快適に保つことができる。
【００３３】
次に、図８に本発明の第２実施例に係る植物のディスプレイ装置３５を示す。この第２実施例においては、前記第１実施例と同一部分には同一符号を付して、その詳細は省略する。
【００３４】
即ち、植物のディスプレイ装置３５は、壁面埋込式であって、壁部３６に窓部３７が形成されており、この窓部３７が壁パネル（化粧パネル２４）で囲まれている。要するに、壁部３６及びその内部は、第１実施例のディスプレイユニット１３と同様の役目を成す。なお、図８中の符号３８は、壁部３６に設けられた点検扉であって、この点検扉３８を開けて水タンク２７の水の補給や清掃等ができるようになっている。
【００３５】
また、窓部３７を臨んで植生パネル１４が設けられており、植生パネル１４に植え付けた苔（植物）１５を照らす照明装置１６と、苔１５への灌水手段１７とが設けられている。なお、図８には送風手段１８が記載されていないが、第１実施例と同様に当該送風手段１８（送風ダクト３３、送風ファン３４）を設けてもよく、あるいは必要なければ設けなくてもよい。
【産業上の利用可能性】
【００３６】
本発明の植物のディスプレイ装置１１は、主に苔１５を植え付けた植生パネル１４をライトアップして展示するものであるが、苔以外の様々な植物を植生パネル１４に植え付けてもよいことは勿論である。
【符号の説明】
【００３７】
１    植物のディスプレイ装置
２    植物
３    植付け体
４    枠体
５    脚部材
６    培養液供給パイプ
７    培養液槽
１１  植物のディスプレイ装置
１２  窓部
１３  ディスプレイユニット
１４  植生パネル
１５  苔（低背な植物）
１６  照明装置
１７  灌水手段
１８  送風手段
１９  飾り台
２０  カバー
２１  展示台
２２  キャスター
２３  カウンター
２４  化粧パネル（パネル）
２４ａ側面化粧パネル
２５  ＬＥＤ照明
２６  導光レンズ
２７  水タンク
２８  上部水受け樋
２９  ホース
３０  ポンプ
３１  下部水受け樋
３２  返水ホース
３３  送風ダクト
３３ａ吹出口
３４  送風ファン
３５  第２実施例の植物のディスプレイ装置
３６  壁部
３７  窓部
３８  点検扉
３９  天井
４０  床
【図１】
2011239706.tif 000003
【図２】
2011239706.tif 000004
【図３】
2011239706.tif 000005
【図４】
2011239706.tif 000006
【図５】
2011239706.tif 000007
【図６】
2011239706.tif 000008
【図７】
2011239706.tif 000009
【図８】
2011239706.tif 000010
【図９】
2011239706.tif 000011
【図１０】
2011239706.tif 000012